(57)【要約】 【課題】  剥離紙のゴミがでない構造の名刺貼り付け用の台紙積層体を提供する。【解決手段】  台紙積層体１は、名刺貼り付け用の台紙３が複数枚、剥離可能に積層されてなる。各台紙３の支持体５は、上着の胸ポケットに挿入可能な幅をもつ厚手のものである。そして、支持体５の長手方向の中央よりも下寄りの位置には、支持体を幅方向に横切るように延びる二重線状の折り線としてのミシン目７，７が形成されている。支持体５の片面で、かつミシン７，７目によって区切られた下側領域には、名刺を貼り付け可能な粘着剤層９が形成されている。そして、一の台紙３は粘着剤層９を他の台紙３の粘着剤層９の非形成面３Ｂと剥離可能に粘着されて積層されている。【選択図】  図２
2005331752.tif 000002
【特許請求の範囲】
【請求項１】
上着の胸ポケットに挿入可能な幅をもつ厚手の支持体を備えた名刺貼り付け用の台紙が複数枚、剥離可能に積層された台紙積層体であって、
前記各台紙には、前記支持体の幅方向を横切るように延びる折り線が形成されるとともに
前記支持体の片面で、かつ前記折り線によって区切られた片側領域には、名刺を貼り付け可能な粘着剤層が形成されており、
一の台紙は前記粘着剤層を他の台紙の前記粘着剤層の非形成面と剥離可能に粘着されて積層されていることを特徴とする台紙積層体。
【請求項２】
前記折り線は、前記胸ポケットの生地厚みに対応した間隔を隔てた略平行な二重線とされていることを特徴とする請求項１に記載の台紙積層体。
【発明の詳細な説明】
【技術分野】
【０００１】
本発明は、名刺貼り付け用の台紙が積層された台紙積層体に関する。
【背景技術】
【０００２】
従来の展示会場等で来客等に渡される名刺ホルダは、透明なプラスチックを折り曲げて名刺を挿入可能とし、裏面に取り付けたクリップによって、上着の胸ポケットに付けて使用されるものである（例えば特許文献１参照）。
【特許文献１】実用新案登録第３０８４５８９号公報
【発明の開示】
【発明が解決しようとする課題】
【０００３】
ところが、このものはプラスチックを使用するためにコストが高いという問題点があった。そこで、図７に示すように紙製の支持体１０１の表面に粘着剤層１０３を備え、裏面にクリップ１０５を設けた名刺貼り付け台紙１００が提案されている。
このものは、図７に示すように、剥離紙１０７を剥離して粘着剤層１０３を露出させ、この粘着剤層１０３に名刺を貼り付けて、クリップ１０５によって上着の胸ポケットに付けられる。
しかしながら、このものでは各台紙１００毎に、剥離紙１０７が使用されているため、剥離紙１０７のゴミが発生するという問題点があった。特に、多人数が来場する展示会場では、そのゴミが膨大であり問題であった。
本発明は上記のような事情に基づいて完成されたものであって、剥離紙のゴミがでない構造の名刺貼り付け用の台紙積層体を提供することを目的とする。
【課題を解決するための手段】
【０００４】
上記の目的を達成するための手段として、請求項１の発明は、上着の胸ポケットに挿入可能な幅をもつ厚手の支持体を備えた名刺貼り付け用の台紙が複数枚、剥離可能に積層された台紙積層体であって、前記各台紙には、前記支持体の幅方向を横切るように延びる折り線が形成されるとともに前記支持体の片面で、かつ前記折り線によって区切られた片側領域には、名刺を貼り付け可能な粘着剤層が形成されており、一の台紙は前記粘着剤層を他の台紙の前記粘着剤層の非形成面と剥離可能に粘着されて積層されていることを特徴とする台紙積層体である。
【０００５】
請求項２の発明は、請求項１に記載のものにおいて、前記折り線は、前記胸ポケットの生地厚みに対応した間隔を隔てた略平行な二重線とされていることを特徴とする。
【発明の効果】
【０００６】
＜請求項１の発明＞
台紙積層体の最上位置の台紙を剥離し、その台紙の粘着剤層に名刺を貼り付ける。次に名刺が貼られた面が外側となるように折り線で折り曲げて、胸ポケットに名刺が貼られてない側を差し込み、名刺が胸ポケットの前面に現れるようにする。このように台紙積層体は使用される。
本請求項の発明によれば、台紙の粘着剤層は、名刺を貼り付けるための機能のみならず、台紙同士を相互に接着して積層体を形成する機能をも有する。すなわち、台紙積層体では、台紙同士が剥離紙を介さずに積層された状態とされている。このように、本請求項の台紙積層体は、従来例のように台紙ごとに剥離紙を備えた構造でないから、台紙を多数使用しても剥離紙のゴミが出ず、剥離紙のゴミ処理が不要となる。
【０００７】
＜請求項２の発明＞
折り線が単線とされている場合には、図６（Ａ）に示すように台紙３を折り曲げて、胸ポケット１３Ａに挿入した場合に、台紙３のうち胸ポケットの前面に露出する側３Ｄが胸ポケット１３Ａに対し斜めとなって、名刺１１が見にくくなるおそれがある。特に胸ポケット１３Ａが厚手の生地で作製されている場合はこの傾向が顕著である。
【０００８】
本請求項の発明の構成によれば、折り線は、胸ポケットの生地厚みに対応した間隔を隔てた略平行な二重線とされているから、この二重線で台紙３を断面コの字状に折り曲げることにより、図６（Ｂ）に示すように、台紙３のうち、胸ポケット１３Ａに挿入される側３Ｃと、胸ポケット１３Ａの前面に露出する側３Ｄとを略平行状態とすることができる。よって、胸ポケット１３Ａが厚手の生地からなる場合であっても、胸ポケット１３Ａの前面に露出する側３Ｄが胸ポケット１３Ａと略平行な姿勢、つまり、名刺１１を見やすい状態とすることができる。
【発明を実施するための最良の形態】
【０００９】
＜実施形態１＞
以下、本発明の一実施形態を図１〜図６を参照しつつ説明する。
本実施形態の台紙積層体１は、名刺貼り付け用の台紙３が複数枚、互いに剥離可能に積層されてなる。各台紙３の支持体５は、例えば、幅５５ｍｍ、高さ９１ｍｍの矩形状の厚紙であり、上着の胸ポケットに挿入可能な幅をもつ厚手のものである。そして、支持体５の長手方向の中央よりもやや下寄りの位置には、支持体を幅方向に横切るように延びる二重線の折り線としてのミシン目７，７が形成されている。各ミシン目７，７は胸ポケット１３Ａの生地厚みに対応した間隔を隔てた略平行な二重線であり、具体的には、数ミリ程度（例えば２〜５ｍｍ程度）の間隔を隔てて形成されている。
また、支持体５の片面で、かつミシン７，７目によって区切られた下側領域には、名刺を貼り付け可能な粘着剤層９が形成されている。
そして、図２に示すように、一の台紙３は粘着剤層９を他の台紙３の粘着剤層９の非形成面３Ｂと剥離可能に粘着されて積層されている。
【００１０】
次に、上記構成からなる本実施形態の台紙積層体１の使用方法について説明する。まず、台紙積層体１の最上位の台紙３を剥離し（図２参照）、台紙３の粘着剤層９に名刺１１を貼り付ける（図３参照）。次に、台紙３を名刺１１が貼られた面３Ａが外側となるようにミシン目７，７で折り曲げる（図４参照）。そして、上着１３の胸ポケット１３Ａに名刺１１が貼られてない片側を差し込み、名刺１１が胸ポケット１３Ａの前面に現れるようにする（図５、図６（Ｂ）参照）。  このように本実施形態の台紙積層体１は使用されるが、この台紙積層体１には台紙３ごとに剥離紙がないから、台紙３を多数使用しても剥離紙のゴミが出ず、剥離紙のゴミ処理が不要となる。
【００１１】
また、本実施形態の構成によれば、図６（Ｂ）に示すように、二重線状のミシン目７，７で台紙３を断面コの字状に折り曲げることにより、台紙３のうち、胸ポケット１３Ａに挿入される側３Ｃと、胸ポケット１３Ａの前面に露出する側３Ｄとを略平行状態とすることができる。よって、胸ポケット１３Ａが例えば厚手の生地からなる場合であっても、胸ポケット１３Ａの前面に露出する側３Ｄが胸ポケット１３Ａと略平行な姿勢、つまり、名刺１１を見やすい状態とすることができる。
【００１２】
＜他の実施形態＞
本発明は、実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、折り線（ミシン目）は、二重線としたが、単線であってもよい。
（２）上記実施形態では、支持体５を厚紙としたが、支持体の材質は特に限定されない。
（３）上記実施形態では、折り線はミシン目としたが、折り線はミシン目に限らず、例えば、プレスによる折筋であってもよい。
【図面の簡単な説明】
【００１３】
【図１】本発明の一実施形態にかかる台紙積層体の斜視図
【図２】台紙積層体の側面図
【図３】名刺を貼り付けた状態の台紙の表面図
【図４】台紙の斜視図
【図５】台紙を胸ポケットに入れた状態を示す平面図
【図６】台紙を胸ポケットに入れた状態を示す断面図
【図７】従来例の台紙の斜視図
【符号の説明】
【００１４】
１…台紙積層体
３…台紙
３Ｂ…非形成面
５…支持体
７…ミシン目（折り線）
９…粘着剤層
１１…名刺
１３…上着
１３Ａ…胸ポケット
【図１】
2005331752.tif 000003
【図２】
2005331752.tif 000004
【図３】
2005331752.tif 000005
【図４】
2005331752.tif 000006
【図５】
2005331752.tif 000007
【図６】
2005331752.tif 000008
【図７】
2005331752.tif 000009